(57)【要約】【課題】可動役物装置を可動させるための電気的構成が簡単で、かつ、電気配線構造も簡単でありながら、可動役物装置に複雑な動きをさせることができるパチンコ遊技機を提供する。【解決手段】パチンコ遊技機で、第１可動役物装置１００は、スライダベース１１５と、スライダベースに往復移動可能に取り付けられたスライダ１０５と、スライダに作動連結され、スライダを往復移動させる駆動源１０１と、スライダに回動可能に取り付けられ、スライダと共にスライダベース上を往復移動する回動体１０３と、スライダに回動可能に取り付けられると共に回動体に作動連結され、入力された回動力を回動体に伝達するための動力伝達部材１４０と、スライダベースに設けられ、スライダがその往復移動経路の特定位置を通過する際に、動力伝達部材に対して当接して動力伝達部材を回動させることで、動力伝達部材に対して回動力を入力する当接部１４１とを有する。【選択図】図１５
2010273994.tif 000002
【特許請求の範囲】
【請求項１】
パチンコ球の転動遊技を行う遊技盤に演出用の可動役物装置を備えたパチンコ遊技機において、
前記可動役物装置は、
スライダベースと、
前記スライダベースに往復移動可能に取り付けられたスライダと、
前記スライダに作動連結され、該スライダを往復移動させる駆動源と、
前記スライダに回動可能に取り付けられ、該スライダとともにスライダベース上を往復移動する回動体と、
前記スライダに回動可能に取り付けられるとともに前記回動体に作動連結され、入力された回動力を該回動体に伝達するための動力伝達部材と、
前記スライダベースに設けられ、前記スライダが該スライダの往復移動経路の特定位置を通過する際に、前記動力伝達部材に対して当接して該動力伝達部材を回動させることで、該動力伝達部材に対して回動力を入力する当接部と、
を有することを特徴とするパチンコ遊技機。
【発明の詳細な説明】
【技術分野】
【０００１】
本発明はパチンコ遊技機に関し、特に、電気的に可動する可動役物装置を有するパチンコ遊技機に関するものである。
【背景技術】
【０００２】
従来、パチンコ遊技機の中には、電気的に可動する可動役物装置を有していて、当該可動役物装置を用いて遊技演出を行うものがある。また、近年、複雑な動きが可能な可動役物装置も提案されている。例えば、魚形の可動体を動かす可動役物装置において、魚の全身を揺動させる第１駆動源と共に、魚の頭部分のみを全身とは別に揺動させる第２駆動源を有しており、この２つの駆動源による全身の揺動と頭部分の揺動とで、魚の複雑な動きを表現できるようにされたものが提案されている（例えば、特許文献１参照）。
【先行技術文献】
【特許文献】
【０００３】
【特許文献１】特開２００５−１３５１２号公報
【発明の概要】
【発明が解決しようとする課題】
【０００４】
しかしながら、前記した特許文献１に記載したようなパチンコ遊技機では、魚の全身の揺動と魚の頭部分の揺動の異なる２つの動きを駆動させるには、２つの駆動源を必要としている。また、魚の全身を揺動させる第１駆動源は魚形の可動体の外側に備えられているが、魚の頭部分を揺動させる第２駆動源は魚形の可動体の中に搭載しており、魚形の可動体は第２駆動源を内部に有した状態で駆動させる必要がある。
【０００５】
このように、従来、可動役物装置に複雑な動きをさせるためには、複数の駆動源を必要とし、これにより、パチンコ遊技機の電気的構成が複雑になるという問題が生じていた。また、駆動源を可動体の内部に有していると、可動体内部の駆動源とそれを制御する制御装置や電源とを接続する電気配線が必要になり、パチンコ遊技機の電気配線構造が複雑になるという問題も生じていた。
【０００６】
本発明は、このような事情に鑑みてなされたものであり、可動役物装置を可動させるための電気的構成が簡単で、かつ、電気配線構造も簡単でありながら、可動役物装置に複雑な動きをさせることができるパチンコ遊技機を提供することを目的とする。
【課題を解決するための手段】
【０００７】
かかる課題を解決するために、本発明の請求項１に記載の発明は、パチンコ球の転動遊技を行う遊技盤に演出用の可動役物装置を備えたパチンコ遊技機において、前記可動役物装置は、スライダベースと、前記スライダベースに往復移動可能に取り付けられたスライダと、前記スライダに作動連結され、該スライダを往復移動させる駆動源と、前記スライダに回動可能に取り付けられ、該スライダとともにスライダベース上を往復移動する回動体と、前記スライダに回動可能に取り付けられるとともに前記回動体に作動連結され、入力された回動力を該回動体に伝達するための動力伝達部材と、前記スライダベースに設けられ、前記スライダが該スライダの往復移動経路の特定位置を通過する際に、前記動力伝達部材に対して当接して該動力伝達部材を回動させることで、該動力伝達部材に対して回動力を入力する当接部と、を有するパチンコ遊技機としたことを特徴とする。
【０００８】
請求項１に係る発明によれば、駆動源によりスライダを駆動させ、さらにそのスライダの動きにより回動体を駆動させることで、１つの駆動源で可動役物装置の回動体を往復駆動させながら回動駆動もさせることができ、これにより、可動役物装置を可動させるための電気的構成が簡単でありながら、可動役物装置に複雑な動きをさせることができる。また、可動役物装置におけるスライダや回動体の外側に有する１つの駆動源によってスライダと回動体を駆動させることで、スライダや回動体の内部に駆動源がない状態にすることができ、これにより、スライダや回動体の電気配線構造が簡単でありながら、可動役物装置に複雑な動きをさせることができる。
【図面の簡単な説明】
【０００９】
【図１】本発明の実施の形態におけるパチンコ遊技機を表面側からみた斜視図である。
【図２】同パチンコ遊技機を背面側からみた斜視図である。
【図３】同パチンコ遊技機の遊技盤の正面図である。
【図４】同パチンコ遊技機の第１可動役物装置の動きを説明するための第１可動役物装置の正面図である。
【図５】図４の状態の第１可動役物装置の裏面図である。
【図６】図４の状態の第１可動役物装置の右側面図である。
【図７】図４の状態の第１可動役物装置の左側面図である。
【図８】第１可動役物装置の動きを説明するために図４と異なる状態を示す第１可動役物装置の正面図である。
【図９】図８の状態の第１可動役物装置の裏面図である。
【図１０】図８の状態の第１可動役物装置の右側面図である。
【図１１】図８の状態の第１可動役物装置の左側面図である。
【図１２】第１可動役物装置の動きを説明するために図４及び図８と異なる状態を示す第１可動役物装置の正面図である。
【図１３】図１２の状態の第１可動役物装置の裏面図である。
【図１４】図１２の状態の第１可動役物装置の右側面図である。
【図１５】図１２の状態の第１可動役物装置の左側面図である。
【発明を実施するための形態】
【００１０】
以下、本発明の実施の形態におけるパチンコ遊技機について図面を参照しながら説明する。図１は、本発明の実施の形態におけるパチンコ遊技機を表面側からみた斜視図であり、図２は、同パチンコ遊技機を背面側からみた斜視図である。
【００１１】
本発明の実施の形態におけるパチンコ遊技機１０は、図１に示すように、外枠１１、前枠１２、窓枠１３及び当該窓枠１３に覆われた遊技盤３０（後述）などを備えている。また、パチンコ遊技機１０の背面には、図２に示すように、液晶ディスプレイ型の演出表示装置３７（後述）などの表示制御や、可動役物装置及びＬＥＤなどによる遊技演出の制御を行う表示演出サブ基板２１、各種遊技音の出力制御を行う音サブ基板２２、入賞時におけるパチンコ遊技機１０の動作等を含むパチンコ遊技機１０の主要な動作を制御する主基板２３、パチンコ球（遊技球）の払い出し動作を制御する払出基板２４、各基板等に電源を供給する電源基板２５等の各種基板が例えば透明ケースに収納された状態で取り付けられている。
【００１２】
具体的に、外枠１１は、パチンコホールの台島に設置されており、図１に示すように、前後面が開口するように四角筒状に形成されている。前枠１２は、外枠１１の前端面に左側辺部の垂直な軸を中心に回動可能に装着されている。また、この前枠１２の前面下部には、上面が開口する下皿１４と、上面が開口する上皿１５とが固定されている。
【００１３】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球槌が連結されている。この発射モータは打球槌の駆動源に相当するものであり、発射ハンドル１９が回動操作されたときには発射モータに駆動電源が供給される。その結果、打球槌が駆動して上皿１５内のパチンコ球が弾き出される。
【００１４】
窓枠１３は前枠１２の前面に装着されている。この窓枠１３には円形孔状の窓部１７が形成されており、窓部１７の内周面には透明なガラスやアクリル等からなる透明板１７ａが固定されている。この窓枠１３の左上隅部及び右上隅部の裏面には、遊技音を出力するスピーカ１８が固定されている。また、窓枠１３には複数の装飾ＬＥＤが固定されている。
【００１５】
上述の遊技盤３０は、前枠１２の後面に装着されている。以下、この遊技盤３０及び遊技盤３０に備えられる各構成部材について図３を参照して詳細に説明する。図３は、本発明の実施の形態における遊技盤３０の正面図である。この遊技盤３０は、上述のように前枠１２の後面に装着されており、窓枠１３の透明板１７ａに前方から覆われている。
【００１６】
遊技板３１は、遊技盤３０の有する各構成部材を固定するための板である。ガイドレール３２は、この遊技板３１の表面側に固定されて、この遊技板３１上に、パチンコ球の発射通路３１ａと遊技領域３１ｂとを形成する。遊技領域３１ｂには複数の障害釘（図示省略）が打ち込まれている。上述の打球槌が弾いたパチンコ球は、発射通路３１ａを通して遊技領域３１ｂ内に放出される。そして、遊技領域３１ｂ内に放出されたパチンコ球は障害釘に当りながら転動して遊技領域３１ｂ内を落下する転動遊技を行う。
【００１７】
遊技盤３０のほぼ中央部には、センター役物と呼ばれるカラー液晶ディスプレイ等を用いた演出表示装置３７が設けられている。この演出表示装置３７は、大当り遊技状態を発生させるか否かの判定結果に基づき変動演出表示を行う広い面積の表示画面３７ａを有している。
【００１８】
また、演出表示装置３７の上方には、可動体が電気的に可動する、本発明の可動役物装置としての第１可動役物装置１００が配置されている。また、演出表示装置３７の右側方には、可動体が電気的に可動する第２可動役物装置２００が配置されている。
【００１９】
第１可動役物装置１００は、演出表示装置３７の表示画面３７ａで行われる変動演出表示などのパチンコ遊技機１０の演出制御に応じて可動することで遊技の演出を行うようになっている。本実施の形態の第１可動役物装置１００は、龍の頭及び胴体を模した複数の可動体を有している。そして、この第１可動役物装置１００は、後述する本発明の駆動源としてのアクチュエータ１０１（ソレノイド、モータ等からなり、本実施の形態ではモータ）に電気的に駆動されて、龍の頭部及び上顎を模した第１可動体１０２、龍の下顎を模した本発明の可動体としての第２可動体１０３、龍の胴体を模した第３可動体１０４が、少なくとも往復駆動（本実施の形態ではパチンコ遊技機１０の上下方向への往復駆動）又は回動駆動するように構成されている。なお、第１可動役物装置１００の構成及びその動きの詳細については後述する。
【００２０】
第２可動役物装置２００は、第１可動役物装置１００と同様に、演出表示装置３７の表示画面３７ａで行われる変動演出表示などのパチンコ遊技機１０の演出制御に応じて可動することで遊技の演出を行うようになっている。本実施の形態の第２可動役物装置は、龍の胴体を模した可動体を有している。そして、この第２可動役物装置２００は、図示しない駆動源としてのアクチュエータ（ソレノイド、モータ等からなり、本実施の形態ではモータ）に電気的に駆動されて、龍の胴体を模した可動体が、スライド駆動又は回動駆動するように構成されている。なお、本実施の形態ではパチンコ遊技機１０の上下方向を軸方向として回動駆動するようになっている。
【００２１】
また、演出表示装置３７の左側方及び左上方には、第１固定演出部材３８が配置されている。本実施の形態の第１固定演出部材３８は、龍の胴体及び尻尾を模した形状に形成されている。このように、本実施の形態では、龍の頭及び胴体を模した第１可動役物装置１００、龍の胴体を模した第２可動役物装置２００、龍の胴体及び尻尾を模した第１固定演出部材３８を、演出表示装置３７の周囲に配置することにより、これらの可動役物装置及び固定演出部材で演出表示装置３７の周囲を１匹の龍が囲んでいるような状態を表現している。
【００２２】
また、第２可動役物装置２００のさらに右側方には、第２固定演出部材３９が配置されている。また、演出表示装置３７の下方には、パチンコ球を始動入賞口３３に入賞し易くなるように誘導する誘導路を始動入賞口３３の真上に設けた、略水平面で構成されたステージ３６が配置されている。このステージ３６には、遊技領域３１ｂの途中から第１固定演出部材３８内に設けられたワープ通路（図示省略）に入ったパチンコ球が誘導されるように構成されている。
【００２３】
また、遊技領域３１ｂ内において、演出表示装置３７の下方には始動入賞口３３が配置されている。この始動入賞口３３は、パチンコ球が入賞することによって、遊技者に有利な大当り遊技状態を発生させるか否かの判定を行う起点となるものであり、上方に開口するポケット状に形成されており、開閉可能な一対の可動片３３ｘを備えている。始動入賞口３３は、可動片３３ｘが閉塞されているときには開口面積が小さくなってパチンコ球が入賞し難くなり、可動片３３ｘが開放されているときには開口面積が大きくなってパチンコ球が入賞し易くなる。
【００２４】
また、始動入賞口３３の下方には、大入賞口３４が配置されている。この大入賞口３４は図示しないアクチュエータの作動により開閉する開閉扉３４ａを備えており、この開閉扉３４ａは、遊技状態が大当り遊技状態になると開口し、その際には大入賞口３４が上方に向かってポケット状に幅広く開口し、多数のパチンコ球が同時かつ連続的に大入賞口３４に入賞可能となる。
【００２５】
また、遊技領域３１ｂ内の所定位置には、パチンコ球が入賞可能な一般入賞口３５が上方に開口するポケット状に形成されている（本実施の形態では、遊技領域３１ｂの左下部に複数の一般入賞口３５が形成されている）。
【００２６】
次に、第１可動役物装置１００の構成及びその動きについて、図４〜図１５を参照して、さらに詳細に説明する。図４〜図７は、本発明の実施の形態におけるパチンコ遊技機の第１可動役物装置１００のスライダ１０５が最も上方に位置しているときの様子を示す正面図、裏面図、一部断面を有する右側面図、一部断面を有する左側面図である。図８〜図１１は、本発明の実施の形態におけるパチンコ遊技機の第１可動役物装置１００のスライダ１０５が中間位置に位置しているときの様子を示す正面図、裏面図、右側面図、左側面図である。図１２〜図１５は、本発明の実施の形態におけるパチンコ遊技機の第１可動役物装置１００のスライダ１０５が最も下方に位置しているときの様子を示す正面図、裏面図、右側面図、左側面図である。
【００２７】
第１可動役物装置１００は、図４〜図７に示すように、種々の部材が取り付けられてスライダ１０５と共に往復移動しないスライダベースとしての本体板１１５と、この本体板１１５に取り付けられ、表示演出サブ基板２１からの指示を受け、かつ、電源基板２５からの電源供給を受けて電気的に駆動する本発明の駆動源としてのアクチュエータ１０１（本実施の形態ではモータ）と、本体板１１５に取り付けられ、アクチュエータ１０１によりスライダ１０５を往復駆動させるスライド機構１０６と、スライダ１０５に取り付けられ、当該スライダ１０５と共に往復移動する、龍の下顎を模した本発明の回動体としての第２可動体１０３と、第２可動体１０３に取り付けられるとともに回動体としての第２可動体１０３に作動連結され、スライダ１０５及び第２可動体１０３と共に往復移動し、第２可動体１０３を非電気的に回動駆動させる本発明の回動機構としての第２歯車機構１０７とを有している。また、第１可動役物装置１００には、第２可動体１０３の他、龍の頭部及び上顎を模した第１可動体１０２、龍の胴体を模した第３可動体１０４を有しており、これら３つの可動体が動くことで龍の頭及び胴体が動く様子を表現している。また、第１可動役物装置１００には、第２歯車機構１０７の他に、第１歯車機構１３４を有している。
【００２８】
スライダ機構１０６は、本体板１１５の裏面側に、所定方向に往復駆動される略板状のスライダ１０５を有しており、本実施の形態のスライダ１０５は、パチンコ遊技機１０の上下方向に往復駆動されるように形成されている。本実施の形態のスライダ１０５には、上下方向が長手方向となる複数（ここでは、３箇所）の長孔１１７，１１８，１１９が形成されており、本体板１１５からその裏面側に突設された係止突部１２０，１２１，１２２が、長孔１１７，１１８，１１９に対して上下動可能に挿通されている。また、それと同時に、係止突部１２０，１２１，１２２が長孔１１７，１１８，１１９に挿通された状態で長孔１１７，１１８，１１９から抜けないようにされている（本実施の形態では、係止突部１２０，１２１，１２２の頭部分が抜け防止用に他の部分より幅広に形成されている）。これらにより、スライダ１０５が本体板１１５に対して上下動可能で、かつ、外れないように係止されている。また、スライダ１０５の所定位置（本実施の形態では、下方中央部分）には、その裏面側に向けて突設された突部１１６を有しており、後述するリンク部材１１１の係合部１１４が係合するようになっている。
【００２９】
また、スライダ機構１０６は、アクチュエータ１０１の回転軸に取り付けられて本体板１１５の裏面側に位置する歯車１０８と歯合して回転する歯車１０９を、同じく本体板１１５の裏面側に有しており、当該歯車１０９の前面側の表面の周縁部には、歯車１０９の回転に応じて円移動する突部１１０が突設されている。また、スライダ機構１０６は、本体板１１５の裏面側に細長い略板状のリンク部材１１１を有しており、所定の支点１１２を中心として本体板１１５に対して回動可能に配置されている。このリンク部材１１１の一端部には、歯車１０９の突部１１０が丁度挿通可能な大きさの長孔１１３が形成されており、当該長孔１１３に挿通された突部１１０が長孔１１３内を摺動可能に構成されている。また、リンク部材１１１の他端部には、スライダ１０５の突部１１６に固定されることなく係合する（回動及び外れない程度の摺動が可能に係合している）略Ｕ字状の係合部１１４が形成されている。
【００３０】
そして、図４及び図５→図８及び図９→図１２及び図１３の順に示すように、アクチュエータ１０１の駆動に応じて歯車１０９がパチンコ遊技機１０の前面側から見て右回り方向に回転すると、突部１１０がパチンコ遊技機１０の前面側から見て右回り方向に円移動し、この突部１１０が、挿通された長孔１１３内を摺動しながら、この長孔１１３を一端部に有するリンク部材１１１を、支点１１２を中心に上下方向の所定の幅をもって回動させる。これにより、リンク部材１１１の他端部に形成された略Ｕ字状の係合部１１４が、例えばテコやシーソーのように、一端部とは逆向きの上下方向に所定の幅をもって回動する。この上下方向に所定の幅をもった係合部１１４の回動により、係合部１１４に係合された突部１１６を上下方向に往復移動させ、その結果、突部１１６が形成されたスライダ１０５を上下方向に往復駆動させるようになっている。
【００３１】
さらに、スライダ１０５の中央部分の辺りの本体板１１５には、所定大きさ及び所定形状の開口部１２５が設けられており、また、スライダ１０５の前面側には、龍の頭部及び上顎を模した第１可動体１０２及び龍の下顎を模した第２可動体１０３を支持するための可動体支持部１２３，１２４が設けられており、この可動体支持部１２３，１２４が本体板１１５の開口部１２５を介して、本体板１１５の前面側にまで達している。本体板１１５の前面側の可動体支持部１２３，１２４には、この可動体支持部１２３，１２４同士を貫通する軸１３０（図６、図７等に図示）が設けられており、この軸１３０に第１可動体１０２は固定されており、軸１３０の回動と共に第１可動体１０２が回動するようになっている。また、第２可動体１０３は、軸１３０に対して、軸１３０の回動とは関係なく回動可能に取り付けられている。これにより、龍の頭部及び上顎を模した第１可動体１０２及び龍の下顎を模した第２可動体１０３が、スライダ１０５と共に上下移動するように構成されている。
【００３２】
また、第１可動役物装置１００には、図６に示すように、本体板１１５に配置されたラック１３１と、可動体支持部１２３に配置されてスライダ１０５と共にパチンコ遊技機１０の上下方向に往復駆動し、ラック１３１と歯合するピニオンギア１３２とで構成されるラックアンドピニオン機構を有し、かつ、軸１３０及び第１可動体１０２に固定されて軸１３０の回動と共に回動し、ピニオンギア１３２と歯合する略１／４円形状のスパーギア１３３を有する第１歯車機構１３４が設けられている。この第１歯車機構１３４では、スライド機構１０６によるスライダ１０５の上方から下方へのスライド駆動に伴い、ピニオンギア１３２がラック１３１に歯合して図６における左回り方向に回転しながら上方から下方へ移動する。すると、ピニオンギア１３２の回転に伴い、スパーギア１３３及び第１可動体１０２が図６における右回り方向に回転する。その結果、図６→図１０→図１４の順に示すように、スライダ１０５が上方から下方にスライド駆動すると、これに伴い、龍の頭部及び上顎に模した第１可動体１０２が図６、図１０、図１４における右回り方向に回転して、龍の頭が徐々に下を向いた状態から正面を向く状態に起きてくるような様子を表現するようになっている。なお、ピニオンギア１３２が所定の最下部まで達すると、スライド機構１０６により、再びピニオンギア１３２が上方に移動するようになっており、これにより、正面を向いた龍の頭が徐々に下を向く状態となるようにされている。
【００３３】
また、第２可動体１０３には、パチンコ遊技機１０の裏面側の位置に重り１３５が設けられており、この重り１３５の重さで第２可動体１０３には、軸１３０を中心として図６、図１０、図１４における右回り方向に回転しようとする力が常に働いている。その結果、後述するストッパ１４０が同じく後述する突起部１４１の位置を下方に向かって通過するまでは、龍の下顎を模した第２可動体１０３が龍の頭部及び上顎を模した第１可動体１０２に沿うようになっており、龍が口を閉じた状態となるようにされている。なお、前記した重り１３５の換わりにばね等の弾性手段を備えており、この弾性手段で第２可動体１０３を、軸１３０を中心として図６、図１０、図１４における右回り方向に回転する方向に付勢し、これにより、龍の下顎を模した第２可動体１０３が龍の頭部及び上顎を模した第１可動体１０２に沿うようになって、龍が口を閉じた状態となるようになっていても良い。
【００３４】
また、第１可動役物装置１００には、図７に示すように、可動体支持部１２４に配置された第１歯車１３６と、同じく可動体支持部１２４に配置され、第１歯車１３６と歯合する第２歯車１３７と、軸１３０に配置され、軸１３０に対して回動可能に取り付けられた第２可動体１０３と共に回動するように第２可動体１０３に固定され、第２歯車１３７と歯合する第３歯車１３８とを有する本発明の回動機構としての第２歯車機構１０７が設けられている。
【００３５】
この第２歯車機構１０７における第１歯車１３６には、当該第１歯車１３６とパチンコ遊技機１０の左右方向において重なる位置に、スライダ１０５に回動可能に取り付けられるとともに回動体としての第２可動体１０３に作動連結され、入力された回動力を第２可動体１０３に伝達するための本発明の動力伝達部材としての突起状のストッパ１４０が回動可能に形成されている。また、この第２歯車機構１０７は、他の歯車とは独立したフリー状態となっており、スライダベースとしての本体板１１５に設けられ、スライダ１０５がそのスライダ１０５の往復移動経路の特定位置を通過する際に、動力伝達部材としてのストッパ１４０に対して当接してストッパ１４０を回動させることで、ストッパ１４０に対して回動力を入力する本発明の当接部としての突起部１４１（後述）が形成された特定位置に達するまでは、スライド機構１０６や第１歯車機構１３４が動いても連動して動かないようになっている。なお、突起部１４１は、スライダ１０５と共に往復移動しない箇所である、本体板１１５に設けられている。また、ストッパ１４０は、その往復移動の途中の突起部１４１が形成された特定位置で当該突起部１４１と当接する箇所に形成されている。
【００３６】
しかし、スライド機構１０６のスライド駆動によりスライダ１０５が上方から下方へスライドし、図１１に示すように、第１歯車１３６が本体板１１５に設けられた突起部１４１の形成された特定位置に達することをきっかけとして、第１歯車１３６に形成されたストッパ１４０が上方から突起部１４１に当接し、そのままスライダ１０５が下方へスライドすることで、図１５に示すように、突起部１４１がストッパ１４０及び第１歯車１３６を図７における右回り方向に回転させ、これに伴い、第１歯車１３６と歯合する第２歯車１３７が図７における左回り方向に回転し、これに伴い、第３歯車１３８及びこれに固定された第２可動体１０３が図７における右回り方向に回転する。その結果、図７→図１１→図１５の順に示すように、スライダ１０５が上方から下方にスライド駆動し、ストッパ１４０が突起部１４１の形成された位置を通過することで、龍の下顎に模した第２可動体１０３が図７、図１１、図１５における右回り方向に非電気的に回転し、龍の頭がほぼ正面を向いた状態になったときに、急に下顎が開いて龍が口を大きく開いたような様子を表現するようになっている。なお、スライド機構１０６の可動範囲に基づき、スライダ１０５が最も下方に位置した場合でもストッパ１４０は突起部１４１を完全には通過しないように構成されており、突起部１４０に対してストッパ１４０が下方から当接することはないようになっている。
【００３７】
また、スライダ機構１０６のリンク部材１１１の長孔１１３と支点１１２の間の所定位置には、略板状の押上部１２６が形成されており、リンク部材１１１の回動に伴い、この押上部１２６が上下移動するようになっている。また、龍の胴体を模した第３可動体１０４は、パチンコ遊技機１０の左右方向に延びる形状となっており、本体板１１５の前面側において、左右方向の一端部に設けられた支点１２７を中心として回動可能に形成されている。また、支点１２７と左右方向の逆方向の所定位置には、本体板１１５に上下方向に延びる長孔１２８が形成されており、本体板１１５の裏面側におけるこの長孔１２８が形成された位置には、前記したリンク部材１１１の押上部１２６が下側から当接する被押上部１２９が形成されている。そして、被押上部１２９は長孔１２８を介して本体板１１５の前面側の第３可動体１０４に固定されており、図４及び図５→図８及び図９→図１２及び図１３の順に示すように、リンク部材１１１の回動により押上部１２６が上下動するのに伴い、被押上部１２９を長孔１２８に沿って上下動させ、これにより、第３可動体１０４を支点１２７を中心として上下方向に回動させるようになっている。
【００３８】
以上のように、本実施の形態のパチンコ遊技機１０によれば、アクチュエータ１０１によりスライダ１０５を駆動させ、さらにそのスライダ１０５の動きにより第２可動体１０３を駆動させることで、１つの駆動源で第１可動役物装置１００の第２可動体１０３を往復駆動させながら回動駆動もさせることができ、これにより、第１可動役物装置１００を可動させるための電気的構成が簡単でありながら、第１可動役物装置１００に複雑な動きをさせることができる。また、第１可動役物装置におけるスライダ１０５や第２可動体１０３の外側に有する１つのアクチュエータ１０１によってスライダ１０５と第２可動体１０３を駆動させることで、スライダ１０５や第２可動体１０３の内部にアクチュエータ１０１がない状態にすることができ、これにより、スライダ１０５や第２可動体１０３の電気配線構造が簡単でありながら、第１可動役物装置１００に複雑な動きをさせることができる。
【００３９】
なお、以上説明した各実施の形態は、本発明の理解を容易にするために記載されたものであって、本発明を限定するために記載されたものではない。
【００４０】
例えば、前記した実施の形態では、スライダ１０５は、スライド機構１０６により、パチンコ遊技機１０の上下方向に往復駆動させるようになっていたが、これに限るものではなく、本発明のスライド機構は、スライダを他の方向、例えばパチンコ遊技機の左右方向や前後方向や斜め方向等に往復駆動させるようになっていても良い。
【００４１】
また、前記した実施の形態では、スライダ１０５が下方に移動する際に、特定位置を通過することをきっかけとして第２歯車機構１０７による回動駆動が始まるように構成されていたが、これに限るものではなく、本発明の回動機構は、スライダが上方に移動する際、又は上方及び下方の双方に移動する際に、特定位置を通過することをきっかけとして回動駆動が始まるように構成されていても良い。さらに、スライダの往復方向が上下方向以外の場合でも、その途中の特定位置をスライダが一の方向に向かって又は双方向に向かって通過することをきっかけとして回動機構による回動駆動が始まるように構成されていても良い。
【００４２】
また、前記した実施の形態では、本発明の回動機構として複数の歯車で構成された歯車機構を用いていたが、これに限るものではなく、本発明の回動機構は、スライド機構の動きから可動体を回動駆動させるように構成されていれば、歯車を用いない他の構成であっても良い。歯車を用いない構成の例としては、歯車の換わりにローラを備え、被当接部として突起部に換えて特定位置に達するとローラが摺動するように配置された摺動帯を備えており、当接部としてストッパの換わりにローラの表面を用いて、特定位置に達したローラの表面が摺動帯上を摺動することで当該ローラが回動し、この回動をきっかけとして可動体を回動駆動させる構成等が挙げられる。
【符号の説明】
【００４３】
１０…パチンコ遊技機、３０…遊技盤、３１ｂ…遊技領域、１００…第１可動役物装置（可動役物装置）、１０１…アクチュエータ（駆動源）、１０３…第２可動体（回動体）、１０５…スライダ、１０６…スライド機構、１０７…第２歯車機構（回動機構）、１４０…ストッパ（動力伝達部材）、１４１…突起部（当接部）
【図１】
2010273994.tif 000003
【図２】
2010273994.tif 000004
【図３】
2010273994.tif 000005
【図４】
2010273994.tif 000006
【図５】
2010273994.tif 000007
【図６】
2010273994.tif 000008
【図７】
2010273994.tif 000009
【図８】
2010273994.tif 000010
【図９】
2010273994.tif 000011
【図１０】
2010273994.tif 000012
【図１１】
2010273994.tif 000013
【図１２】
2010273994.tif 000014
【図１３】
2010273994.tif 000015
【図１４】
2010273994.tif 000016
【図１５】
2010273994.tif 000017